(57)【要約】【課題】本発明は、発呼側の電話機と着呼側の電話機との間で通信状態が不良になったとしても、伝えたい音声メッセージを簡便な方法で相手側の電話機に送信することができる。【解決手段】本発明は、通信接続がなされた後に通信状態が不良となった場合には、利用者からの指示に基づいて、利用者の音声メッセージを記憶する音声記憶部１０５と、音声記憶部１０５に記憶された音声メッセージを、通信接続がなされた相手側の電話機２００に送信する送受信部１０９と、電話機１００から音声メッセージを受信する送受信部２０１と、送受信部２０１で受信された音声メッセージを記憶する音声記憶部２０５と、送受信部２０１で音声メッセージが受信されたことを報知する表示部２１２と、利用者からの指示に基づいて、音声記憶部２０５に記憶された音声メッセージを出力する音声出力部２０９とを備える。【選択図】      図２
2004187211.tif 000002
【特許請求の範囲】
【請求項１】
複数の電話機がネットワークに接続され、前記各電話機間で通信接続がなされた後に、該各電話機間で音声メッセージの送受信を行うインターネット電話であって、
前記通信接続がなされた後に通信状態が不良となった場合には、利用者からの指示に基づいて、利用者の前記音声メッセージを記憶する第一音声記憶手段と、
前記第一音声記憶手段で記憶された前記音声メッセージを、前記通信接続がなされた相手側の電話機に送信する送信手段と、
前記相手側の電話機から前記音声メッセージを受信する受信手段と、
前記受信手段で受信された該音声メッセージを記憶する第二音声記憶手段と、
前記受信手段で前記音声メッセージが受信されたことを報知する報知手段と、
利用者からの指示に基づいて、前記第二音声記憶手段に記憶された前記音声メッセージを出力する音声出力手段と
を有することを特徴とするインターネット電話。
【発明の詳細な説明】
【０００１】
【発明の属する技術分野】
本発明は、複数の電話機がネットワークに接続され、前記各電話機間で通信接続がなされた後に、該各電話機間で音声メッセージの送受信を行うインターネット電話に関する。
【０００２】
【従来の技術】
インターネットを利用して音声通話を行うインターネット電話装置が提案されている（例えば、特許文献１、特許文献２参照）。例えば、特許文献１においては、先ず、発呼側の電話機が呼接続要求メッセージ（発呼側及び相手側のアドレス）を着呼側の電話機に送信する。そして、着呼者が不在により応答できない場合には、その着呼側の電話機は、その呼接続要求メッセージ（制御情報）を記億する。
【０００３】
後に着呼者が席に戻り、着信した呼接続要求メッセージの折り返し通信処理を選択した場合には、着呼側の電話機は、呼接続メッセージに含まれる発呼側のアドレスにより呼接続メッセージを返信する。そして、着呼側の電話機が発呼側との呼接続により発呼者からの音声メッセージ等を受ける。これにより、着呼側の電話機は、着呼者の不在により無駄な音声メッセーを蓄積させる必要が無くなる。
【０００４】
また、特許文献２においては、行き先掲示板機能及び留守番電話機能が、インターネットに接続された各電話機に付加されたものである。これにより、発呼側の電話機は、着呼側の電話機に、発呼者の行き先を表示させると共に、発呼者の用件やメモの記録或いはファイルの転送をすることができる。
【０００５】
【特許文献１】
特開２００１−１５６９３３（第４−１０項、第１図）
【０００６】
【特許文献２】
特開２００１−８６２０９（第３−５項、第１図）
【０００７】
【発明が解決しようとする課題】
しかしながら、特許文献１の発明では、発呼側の音声メッセージは着呼側の応答処理まで発呼側の電話機に記憶されている。このため、着呼者が発呼者の音声メッセージの内容を把握するためには、着呼側の電話機は、着呼者の操作指示により、通信シーケンス（制御メッセージのやり取り）を新しく発生させる必要があった。
【０００８】
また、着呼者は、発呼側の電話機が他の電話機との間で通信状態（話中）に遭遇する場合には、最終的に発呼者の音声メッセージを把握するまでに相当の時間を要する。更に、特許文献２の発明では、発呼者の情報（用件やメモの記録或いはファイル）を着呼者に伝えるのは着呼者が留守番電話サービスを設定した場合に限られる。これにより、上記通信シーケンスを逐一発生させることなく、簡便な方法で音声メッセージを送信することのできるシステムの開発が望まれていた。
【０００９】
そこで、本発明は以上の点に鑑みてなされたものであり、発呼側の電話機と着呼側の電話機との間で通信接続が確立した後に、両電話機間で通信状態が不良になったとしても、伝えたい音声メッセージを簡便な方法で相手側の電話機に送信することのできるインターネット電話を提供することを課題とする。
【００１０】
【課題を解決するための手段】
本願に係る発明は、上記課題を解決すべくなされたものであり、複数の電話機がネットワークに接続され、各電話機間で通信接続がなされた後に、各電話機間で音声メッセージの送受信を行う際に、通信接続がなされた後に通信状態が不良となった場合には、利用者からの指示に基づいて、利用者の音声メッセージを記憶し、記憶された音声メッセージを通信接続がなされた相手側の電話機に送信し、相手側の電話機から音声メッセージを受信し、受信された音声メッセージを記憶し、音声メッセージが受信されたことを報知し、利用者からの指示に基づいて記憶された音声メッセージを出力することを特徴とする。
【００１１】
このような本願に係る発明によれば、第一電話機と第二電話機との間で通信接続が確立した後に、両電話機間で通信状態が不良になった時には、第一電話機が、発呼者の音声メッセージを記憶し、その記憶した音声メッセージを第二電話機に送信することができる。このため、着呼側である第二電話機は、着呼者の操作入力に関わらず、通信状態が不良となった後の音声メッセージを第一電話機から確実に受信することができる。
【００１２】
すなわち、第二電話機は、通信状態が不良になってとしても、第一電話機と第二電話機との間で通信接続がなされていれば、第一電話機から音声メッセージを受信することができる。この結果、第二電話機は、通信接続が切断されていなければ、第一電話機から音声メッセージを受信することができるので、その音声メッセージを取得するための通信シーケンスを逐一発生させる必要が無くなる。
【００１３】
また、発呼側の第一電話機から送信された音声メッセージは、第二電話機に記憶させることができるので、発呼者は、第一電話機と第二電話機との間の通信接続が確立した後に、両者の通信状態が不良になった際には、着呼者に伝えなければならない音声メッセージを確実に着呼者の第二電話機に記憶させることができる。
【００１４】
更に、着呼者は、自己の第二電話機に音声メッセージが記憶されている場合には、操作部を操作することによりその記憶された音声メッセージを何時でも聞くことができる。すなわち、その音声メッセージは、着呼者の第二電話機に記憶されているので、着呼者は、留守番電話サービスセンタに逐一接続させることなく、手軽に記憶された音声メッセージを聞くことができる。
【００１５】
なお、第一電話機又は第二電話機のそれぞれは、相手側の第二電話機又は第一電話機と同様の機能を有するので、上記示した相手側の第二電話機又は第一電話機と同様の効果を奏する。
【００１６】
更にまた、電話機が相手側の電話機から音声メッセージを受信した場合には、その電話機は、相手側の音声メッセージを受信したことを利用者に報知する。これにより、発呼者又は着呼者は、点滅されたＬＥＤ等（報知されたもの）を通じて、音声メッセージが着呼者又は発呼者から通知されたことを容易に認識することができる。
【００１７】
【発明の実施の形態】
［インターネット電話の基本構成］
本発明にかかるインターネット電話について図面を参照しながら説明する。図１は、本実施形態におけるインターネット電話の概略構成を示す図である。
【００１８】
同図に示すように、発呼側の電話機１００ａ〜１００ｃ（第一電話機；インターネット電話）と着呼側の電話機２００ａ〜２００ｃ（第二電話機；インターネット電話）とは通信ネットワーク３００に接続される。この電話機１００が着呼側のアドレスを電話機２００に送信し、その電話機１００が電話機２００からの応答により通信接続をする。この通信接続が確立した後は、第一電話機１００と第二電話機２００とは双方に音声メッセージの送受信を行うことができる。
【００１９】
前記電話機１００は、電話機１００と電話機２００との間で通信接続が確立した後に通信状態が不良になった場合には、発呼者からの操作入力により、発呼者から入力された音声メッセージを記憶し、その記憶した音声メッセージを電話機２００に送信するものである。
【００２０】
この電話機１００は、本実施形態では、図２に示すように、音声取得部１０１と、ＡＤ変換部１０２と、音声圧縮符号化部１０３と、送信方法切替部１０４と、音声記憶部１０５と、第一パケット組立部１０６と、第二パケット組立部１０７と、ＩＰパケット組立部１０８と、送受信部１０９と、操作部１１０と、音声送信指示部１１１とを有する。
【００２１】
ここで、電話機１００と電話機２００との間の通信接続は、先ず発呼者が、操作部１１０を操作し、着呼側の電話機２００のアドレス（電話番号等）を入力する。この電話機１００にある送受信部１０９は、入力されたアドレスに基づいて、そのアドレスに対応する電話機２００と通信接続をする。以下では、電話機１００と電話機２００とが通信接続されていることを前提に説明する。
【００２２】
音声取得部１０１は、発呼者の音声メッセージを取得するものである。具体的に、発呼者の音声メッセージを取得した音声取得部１０１は、取得した音声メッセージをＡＤ変換部１０２に出力する。ＡＤ変換部１０２は、音声メッセージをアナログからディジタルに変換するものである。具体的に、音声取得部１０１から音声メッセージが入力されたＡＤ変換部１０２は、入力された音声メッセージをディジタルに変換する。ＡＤ変換部１０２は、変換した音声メッセージを音声圧縮符号化部１０３に出力する。
【００２３】
音声圧縮符号化部１０３は、音声メッセージを圧縮し、圧縮した音声メッセージを符号化するものである。具体的に、ＡＤ変換部１０２から音声メッセージが入力された音声圧縮符号化部１０３は、入力された音声メッセージ（例えば、６４ｋｂｐｓのディジタル音声）を１６ｋｂｐｓ（Ｇ７２８）又は８ｋｂｐｓ（Ｇ７２９）等の音声メッセージに圧縮し、圧縮した音声メッセージを符号化する。
【００２４】
この音声圧縮符号化部１０３は、電話機１００と電話機２００との間で整合が取れている圧縮符号化を選択することができる回路を内蔵している。音声圧縮符号化部１０３は、圧縮符号化した音声メッセージを送信方法切替部１０４に出力する。
【００２５】
音声送信指示部１１１は、通常モード又はバックアップモードのいずれかを指示するものである。具体的に、音声送信指示部１１１は、操作部１１０からの入力信号により、いずれかのモードを指定し、指定したモードを指定信号として送信方法切替部１０４に出力する。なお、発呼者は、通常モード又はバックアップモードに切り替えるボタン（操作部１１０）を操作する。この操作部１１０は、操作されたモードを上記入力信号として音声送信指示部１１１に出力する。
【００２６】
ここで、通常モードとは、インターネット電話で普通に音声メッセージの送受信をすることができるモードを意味する。また、バックアップモードとは、通信状態が不良になった場合に、発呼者が自己の伝えたい音声メッセージを強制的に着呼者の電話機２００に送信するモードを意味する。なお、「通信状態が不良」とは、電話機１００と電話機２００との間の通信接続は切断されてはいないが、音声メッセージ等が途中で切れてしまうことを意味する。これは、電話機１００と電話機２００との間で輻輳が生じている場合に生ずる。
【００２７】
送信方法切替部１０４は、通話モード又はバックアップモードのいずれかで送信するのかを切り替えるものである。具体的に、音声圧縮符号化部１０３から音声メッセージが入力された送信方法切替部１０４は、入力された音声メッセージを音声記憶部１０５に記憶させる。ここで、音声記憶部１０５は、通信接続がされた後に通信状態が不良になった場合には、発呼者からの操作入力により、音声取得部１０１で取得された音声メッセージを記憶するものである。
【００２８】
音声送信指示部１１１から特定信号が入力された送信方法切替部１０４は、入力された特定信号に対応するモードに基づいて、そのモードになるように内部スイッチを切り替える。バックアップモードに切り替えた送信方法切替部１０４は、音声記憶部１０５に記憶された音声メッセージを第一パケット組立部１０６に出力する。一方、通常モードに切り替えた送信方法切替部１０４は、音声記憶部１０５に記憶された音声メッセージを第二パケット組立部１０７に出力する。
【００２９】
第一パケット組立部１０６は、送信方法切替部１０４でバックアップモードに切り替えられた際に、送信方法切替部１０４から入力された音声メッセージのパケットを組み立てるものである。この組立をする際に、第一パケット組立部１０６は、例えば、レイヤ５についてＲＴＰ（Ｒｅａｌ−ｔｉｍｅ  Ｔｒａｎｓｐｏｒｔ  Ｐｒｏｔｏｃｏｌ）を使用することができる。
【００３０】
また、第一パケット組立部１０６は、例えば、レイヤ４についてＴＣＰ（Ｔｒａｎｓｍｉｓｓｉｏｎ  Ｃｏｎｔｒｏｌ  Ｐｒｏｔｏｃｏｌ）又はＵＤＰ（Ｕｓｅｒ  Ｄａｔａｇｒａｍ  Ｐｒｏｔｏｃｏｌ）を使用することができる。この第一パケット組立部１０６は、組み立てた音声メッセージのパケットをＩＰパケット組立部１０８に出力する。
【００３１】
第二パケット組立部１０７は、送信方法切替部１０４で通常モードに切り替えられた際に、送信方法切替部１０４から入力された音声メッセージのパケットを組み立てるものである。この組立をする際に、第二パケット組立部１０７は、第一パケット組立部１０６と同様のレイヤを使用することができる。この第二パケット組立部１０７は、組み立てた音声メッセージのパケットをＩＰパケット組立部１０８に出力する。
【００３２】
ＩＰパケット組立部１０８は、ＩＰパケットのインターフェースである。第一パケット組立部１０６又は第二パケット組立部１０７から音声メッセージが入力されたＩＰパケット組立部１０８は、入力された音声メッセージを送受信部１０９に出力する。
【００３３】
送受信部１０９は、送受信部２０１との間でデータの送受信を行うものである。具体的に、ＩＰパケット組立部１０８から音声メッセージが入力された送受信部１０９は、入力された音声メッセージに基づいて、その音声メッセージを該当する送受信部２０１に送信する。
【００３４】
すなわち、送受信部１０９は、発呼者から入力されたアドレスに基づいて、そのアドレスに対応する送受信部２０１に、入力された音声メッセージを送信する。通信ネットワーク３００は、電話機１００と電話機２００とを接続するものである。この通信ネットワーク３００としては、例えばインターネット網等が挙げられる。
【００３５】
前記電話機２００は、電話機１００から送信された音声メッセージを受信し、受信した音声メッセージを記憶し、音声メッセージを受信したことを着呼者に報知し、着呼者からの操作入力により記憶した音声メッセージを出力するものである。
【００３６】
この電話機２００は、本実施形態では、図２に示すように、送受信部２０１と、ＩＰパケット切替部２０２と、第一パケット分解部２０３と、第二パケット分解部２０４と、音声記憶部２０５と、受信方法切替部２０６と、音声復号化部２０７と、ＤＡ変換部２０８と、音声出力部２０９と、操作部２１０と、音声受信指示部２１１と、表示部２１２とを有する。
【００３７】
送受信部２０１は、該当する送受信部１０９から音声メッセージを受信するものである。送受信部２０１は、受信した音声メッセージをＩＰパケット切替部２０２に出力する。ＩＰパケット切替部２０２は、各種モードに応じて、入力された音声メッセージを第一パケット分解部２０３又は第二パケット分解部２０４のいずれかに出力するものである。
【００３８】
具体的に、送受信部２０１から音声メッセージが入力されたＩＰパケット切替部２０２は、入力された音声メッセージが第一パケット組立部１０６で組み立てられたものである場合には、その音声メッセージを第一パケット分解部２０３に出力する。この第一パケット分解部２０３に出力する音声メッセージは、バックアップモードの時に組み立てられたパケットを意味する。
【００３９】
一方、ＩＰパケット切替部２０２は、入力された音声メッセージが第二パケット組立部１０７で組み立てられたものである場合には、その音声メッセージを第二パケット分解部２０４に出力する。この第二パケット分解部２０４に出力する音声メッセージは、通常モードの時に組み立てられたパケットを意味する。
【００４０】
第一パケット分解部２０３は、第一パケット組立部１０６に対応した処理を行うものである。すなわち、第一パケット分解部２０３は、バックアップモードの時に組み立てられた音声メッセージのパケットを分解するものである。この第一パケット分解部２０３は、分解した音声メッセージのパケットを音声記憶部２０５に記憶させる。また、第一パケット分解部２０３は、その分解した旨の信号（分解信号）を受信方法切替部２０６及び表示部２１２に出力する。
【００４１】
第二パケット分解部２０４は、第二パケット組立部１０７に対応する処理を行うものである。すなわち、第二パケット分解部２０４は、通常モードの時に組み立てられた音声メッセージのパケットを分解するものである。この第二パケット分解部２０４は、分解した音声メッセージのパケットを受信方法切替部２０６に出力する。
【００４２】
操作部２１０は、着呼者の操作により、通常モード又はバックアップモードのいずれかを特定するものである。音声受信指示部２１１は、操作部２１０で特定されたモードを検出するものである。音声受信指示部２１１は、特定されたモードを特定信号として受信方法切替部２０６に出力する。
【００４３】
受信方法切替部２０６は、通常モード又はバックアップモードのいずれかに切り替えるものである。具体的に、音声受信指示部２１１から特定信号が入力された受信方法切替部２０６は、入力された特定信号に対応するモードに基づいて、そのモードになるように内部スイッチを切り替える。
【００４４】
バックアップモードに切り替えた受信方法切替部２０６は、第一パケット分解部２０３からの分解信号に基づいて、音声記憶部２０５に記憶された音声メッセージを取得する。ここで、音声記憶部２０５は、送受信部２０１で受信された音声メッセージを記憶するものである。
【００４５】
この音声メッセージを取得した受信方法切替部２０６は、取得した音声メッセージを音声復号化部２０７に出力する。一方、通常モードに切り替えた受信方法切替部２０６は、第二パケット分解部２０４から入力された音声メッセージを音声復号化部２０７に出力する。
【００４６】
音声復号化部２０７は、Ｇ７２８／Ｇ７２９等の圧縮された音声メッセージを復号化するものである。この音声復号化部２０７は、発呼側における音声圧縮符号化部１０３のアルゴリズムに対応した復号化方式を選択する。ＤＡ変換部２０８は、ディジタル化された音声メッセージをアナログに変換するものである。
【００４７】
このＤＡ変換部２０８は、変換後の音声メッセージを音声出力部２０９に出力する。音声出力部２０９は、着呼者からの操作入力により、音声記憶部２０５で記憶された音声メッセージを出力するものである。具体的に、音声出力部２０９は、着呼者からの操作入力があった後に、ＤＡ変換部２０８から入力された音声メッセージを出力する。
【００４８】
表示部２１２は、バックアップモードにより発呼者側の電話機１００から音声メッセージを受信したことを報知するものである。具体的に、第一パケット分解部２０３から分解信号が入力された表示部２１２は、入力された分解信号に基づいて、バックアップモードが開始／終了したことをＬＥＤ等を通じて知らせる。なお、この報知は、表示部２１２を介して行われるものに限定されるものではなく、スピーカーを介して行われるものであってもよい。
【００４９】
着呼者は、表示部２１２にあるＬＥＤ等が点滅していれば、バックアップモードにより発呼者から音声メッセージが送信されたことを認識することができる。この認識をした着呼者は、操作部２１０を操作することにより、バックアップモードで記憶された音声メッセージを聞くことができる。
【００５０】
なお、着呼者側の電話機２００は、発呼者側の電話機１００に有する各部（１０１〜１１１）を備えることが好ましい。また、発呼者側の電話機１００は、着呼者側の電話機２００に有する各部（２０１〜２１２）を備えることが好ましい。これにより、発呼者側の電話機１００も着呼者側の電話機２００と同様の機能を実行することができる。また、着呼側の電話機２００も発呼者側の電話機１００と同様の機能を実行することができる。
【００５１】
［インターネット電話を用いたインターネット電話制御方法］
上記構成を有するインターネット電話によるインターネット電話制御方法は、以下の手順により実施することができる。図３は、本実施形態に係るインターネット電話制御方法の手順を示すフロー図である。
【００５２】
図３に示すように、発呼者側の電話機１００が着呼者側の電話機２００に対して接続要求を送信するステップを行う（Ｓ１０１）。電話機１００から接続要求を受信した電話機２００は、受信した接続要求に基づいて、その接続要求を送信した電話機２００との間で通信接続を確立させる。以下では、電話機１００と電話機２００との間の通信接続が確立した後に、両者間の通信状態が不良になった際の処理について説明する。
【００５３】
先ず、発呼者が操作部１１０を介してバックアップモードの設定をするステップを行う（Ｓ１０３）。具体的に、操作部１１０は、発呼者の操作により、バックアップモードが選択されたことを検知する。音声送信指示部１１１は、操作部１１０で検知されたバックアップモードを検出する。
【００５４】
この検知をした音声送信指示部１１１は、検知したモードを特定信号として送信方法切替部１０４に出力する。この音声送信指示部１１１から特定信号が入力された送信方法切替部１０４は、入力された特定信号に対応するバックアップモードに基づいて、そのモードになるように内部スイッチを切り替える。
【００５５】
もし、発呼者がバックアップモードにしない場合には、電話機１００と電話機２００との間の通信接続は切断される（Ｓ１０４）。これは、電話機１００と電話機２００との間の通信状態が悪いために起こるものである。
【００５６】
次いで、バックアップモードが設定された際には、送信方法切替部１０４が発呼者からの音声メッセージを音声記憶部１０５に記憶させるステップを行う（Ｓ１０５）。具体的に、バックアップモードに切り替えた送信方法切替部１０４は、音声圧縮符号化部１０３から入力された音声メッセージを音声記憶部１０５に記憶させる。
【００５７】
その後、音声送信指示部１１１が記憶された音声メッセージを該当する電話機２００に送信するための指示をする（Ｓ１０６）。そして、電話機１００が記憶された音声メッセージを該当する電話機２００に送信するステップを行う（Ｓ１０７）。具体的に、音声送信指示部１１１は、発呼者からの操作により、送信命令を送信方法切替部１０４に出力する。この送信命令が入力された送信方法切替部１０４は、入力された送信命令に基づいて、音声記憶部１０５に記憶されている音声メッセージを取得する。
【００５８】
この音声メッセージを取得した送信方法切替部１０４は、取得した音声メッセージを第一パケット組立部１０６に出力する。この音声メッセージが入力された第一パケット組立部１０６は、入力された音声メッセージのパケットを組み立てる。送受信部１０９は、その組み立てられた音声メッセージのパケットを送受信部２０１に送信する。
【００５９】
次いで、着呼者側の電話機２００が発呼者側の電話機１００から音声メッセージを受信するステップを行う（Ｓ１０８）。具体的に、送受信部２０１は、該当する送受信部１０９から音声メッセージを受信する。この音声メッセージを受信した送受信部２０１は、受信が完了したことを示す旨を送受信部１０９に送信する。この旨を受信した送受信部１０９は、その旨を表示部に表示させる（Ｓ１１０）。
【００６０】
その後、音声出力部２０９が音声メッセージを出力するステップを行う（Ｓ１１１）。具体的に、送受信部２０１から音声メッセージが入力されたＩＰパケット切替部２０２は、入力された音声メッセージが第一パケット組立部１０６で組み立てられたものである場合には、その音声メッセージを第一パケット分解部２０３に出力する。この第一パケット分解部２０３に出力する音声メッセージは、バックアップモードの時に組み立てられたパケットを意味する。
【００６１】
この第一パケット分解部２０３は、バックアップモードの時に組み立てられた音声メッセージのパケットを分解する。第一パケット分解部２０３は、その分解した音声メッセージのパケットを音声記憶部２０５に記憶させる。また、第一パケット分解部２０３は、その分解した旨の信号（分解信号）を受信方法切替部２０６及び表示部２１２に出力する。
【００６２】
この分解信号が入力された表示部２１２は、入力された分解信号に基づいて、バックアップモードが開始／終了したことをＬＥＤ等を通じて知らせる。着呼者は、表示部２１２にあるＬＥＤ等が点滅していれば、バックアップモードにより発呼者から音声メッセージが送信されたことを認識することができる。この認識をした着呼者は、操作部２１０を操作することにより、バックアップモードで記憶された音声メッセージを聞くためのボタン操作を行う。
【００６３】
その後、音声受信指示部２１１は、操作部２１０で特定されたモードを検出し、検出したモードを特定信号として受信方法切替部２０６に出力する。この音声受信指示部２１１から特定信号が入力された受信方法切替部２０６は、入力された特定信号に対応するバックアップモードに基づいて、そのモードになるように内部スイッチを切り替える。
【００６４】
このバックアップモードに切り替えた受信方法切替部２０６は、第一パケット分解部２０３からの分解信号に基づいて、音声記憶部２０５に記憶された音声メッセージを取得する。この音声メッセージを取得した受信方法切替部２０６は、音声復号化部２０７、ＤＡ変換部２０８を介して、取得した音声メッセージを音声出力部２０９に出力する。この音声メッセージが入力された音声出力部２０９は、入力された音声メッセージを出力する。
【００６５】
［インターネット電話及びインターネット電話制御方法による作用及び効果］
このような実施形態に係る発明によれば、受信方法切替部２０６が、発呼者側の電話機２００から送信されたバックアップモードに基づいて、発呼者の音声メッセージを音声記憶部２０５に記憶させることができる。このため、電話機１００と電話機２００との間で通信接続が確立された後に、両者の通信状態が不良になった際には、発呼者は、バックアップモードに移行させることにより、着呼者に伝えなければならない音声メッセージを確実に着呼者の電話機２００に記憶させることができる。
【００６６】
すなわち、着呼側である電話機２００は、着呼者の操作入力に関わらず、通信状態が不良となった後の音声メッセージを電話機１００から受信することができる。この結果、電話機２００は、通信状態が不良になってとしても、電話機１００と電話機２００との間で通信接続が切断されていなければ、電話機１００から音声メッセージを確実に受信することができる。
【００６７】
また、電話機２００は、通信接続が切断されていなければ、電話機１００から音声メッセージを受信することができるので、その音声メッセージを取得するための通信シーケンスを逐一発生させる必要が無くなり、簡単に発呼者からの音声メッセージを取得することができる。
【００６８】
更に、着呼者は、自己の電話機２００に音声メッセージが記憶されている場合には、操作部２１０を操作することによりその記憶された音声メッセージを何時でも聞くことができる。この際、その音声メッセージは、着呼者の電話機２００に記憶されているので、着呼者は、留守番電話サービスセンタに逐一接続させることなく、手軽に記憶された音声メッセージを聞くことができる。
【００６９】
最後に、発呼者からの音声メッセージが、バックアップモードにより電話機２００に記憶された場合には、表示部２１２は、その音声メッセージが記憶されていることをＬＥＤ等を通じて知らせる。これにより、着呼者は、その点滅されたＬＥＤ等を通じて、音声メッセージが発呼者から通知されたことを容易に認識することができる。
【００７０】
なお、電話機１００又は電話機２００のそれぞれは、相手側の電話機２００又は電話機１００と同様の機能を有するので、上記示した相手側の電話機２００又は電話機１００と同様の効果を奏する。
【００７１】
【発明の効果】
以上説明したように、本発明によれば、発呼側の電話機と着呼側の電話機との間で通信接続が確立した後に、両電話機間で通信状態が不良になったとしても、伝えたい音声メッセージを簡便な方法で相手側の電話機に送信することができる。
【図面の簡単な説明】
【図１】本実施形態に係るインターネット電話の概略構成を示す図である。
【図２】本実施形態に係るインターネット電話の内部構造を示す図である。
【図３】本実施形態に係るインターネット電話制御方法の手順を示す図である。
【符号の説明】
１００…電話機、１０１…音声取得部、１０２…ＡＤ変換部、１０３…音声圧縮符号化部、１０４…送信方法切替部、１０５…音声記憶部、１０６…第一パケット組立部、１０７…第二パケット組立部、１０８…ＩＰパケット組立部、１０９…送受信部、１１０…操作部、１１１…音声送信指示部、２００…電話機、２０１…送受信部、２０２…ＩＰパケット切替部、２０３…第一パケット分解部、２０４…第二パケット分解部、２０５…音声記憶部、２０６…受信方法切替部、２０７…音声復号化部、２０８…ＤＡ変換部、２０９…音声出力部、２１０…操作部、２１１…音声受信指示部、２１２…表示部、３００…通信ネットワーク
【図１】
2004187211.tif 000003
【図２】
2004187211.tif 000004
【図３】
2004187211.tif 000005